(57)【要約】【課題】安定した品質の混練物を得ることが可能なロール混練方法及び装置を提供する。【解決手段】一対の混練ロール１，２で混練した混練材料Ｍを練り返し用コンベヤ３，４，５を介して混練ロール１，２間のバンク６に戻して繰り返し混練するロール混練方法であり、練り返し用コンベヤ５の搬出側に混練材料Ｍを切断する切断手段７が設置され、この切断手段７により混練材料Ｍを切断してバンク６に戻す。【選択図】図１
2005254697.tif 000002
【特許請求の範囲】
【請求項１】
一対の混練ロールで混練した混練材料を練り返し用コンベヤを介して前記混練ロール間のバンクに戻して繰り返し混練するロール混練方法において、前記バンクに戻す混練材料を切断して該バンクに戻すロール混練方法。
【請求項２】
前記混練材料を前記練り返し用コンベヤの搬送方向と直交する幅方向に対して斜めに切断し、該切断した混練材料片を落下させて前記バンクに戻す請求項１に記載のロール混練方法。
【請求項３】
前記混練材料を前記幅方向に対して４５°以下の角度で斜めに切断する請求項２に記載のロール混練方法。
【請求項４】
一対の混練ロールで混練した混練材料を練り返し用コンベヤを介して前記混練ロール間のバンクに戻して繰り返し混練するロール混練装置において、前記練り返し用コンベヤの搬出側に前記混練材料を切断する切断手段を設置したロール混練装置。
【請求項５】
前記切断手段は、前記混練材料を切断するカッターを有し、該カッターを前記バンクの上方に配置した請求項４に記載のロール混練装置。
【請求項６】
前記切断手段は、前記混練材料を前記練り返し用コンベヤの搬送方向と直交する幅方向に対して斜めに切断するカッターを有し、該カッターを前記バンクの上方に配置した請求項４に記載のロール混練装置。
【請求項７】
前記カッターを前記混練材料を前記幅方向に対して４５°以下の角度で斜めに切断可能に構成した請求項６に記載のロール混練装置。
【発明の詳細な説明】
【技術分野】
【０００１】
本発明は、ゴム材料などを混練するロール混練方法及び装置に関し、更に詳しくは、混練物の品質を改善するようにしたロール混練方法及び装置に関する。
【背景技術】
【０００２】
従来、ゴム材料などの混練材料を混練する装置として、混練ロールで混練した混練材料を練り返し用コンベヤを介してバンクに戻して繰り返し混練するロール混練装置が周知である（例えば、特許文献１参照）。左右一つの混練ロール間のバンクに投入した混練材料を回転する混練ロールで混練しながら混練ロール間を通過させ、練り返し用コンベヤを介して再び混練ロール間のバンクに戻すようにしている。
【０００３】
しかしながら、上記ロール混練装置では、練り返し用コンベヤからバンクに戻された混練材料がバンクにある混練材料と十分に混ざらずに混練ロール間を通過するため、安定した品質の混練物を得ることができないという問題があった。
【０００４】
即ち、混練ロール間を通過したシート状の混練材料が収縮するため、コンベヤベルト上を搬送される混練材料にテンションが付与され、その状態で混練材料がバンクに戻されるため、バンクの混練材料と混ざらずに混練ロール間に引き込まれてしまい、安定した品質に混練することができないのである。
【特許文献１】特開昭６３−１６８３１３号公報
【発明の開示】
【発明が解決しようとする課題】
【０００５】
本発明は、安定した品質の混練物を得ることが可能なロール混練方法及び装置を提供することにある。
【課題を解決するための手段】
【０００６】
上記目的を達成する本発明のロール混練方法は、一対の混練ロールで混練した混練材料を練り返し用コンベヤを介して前記混練ロール間のバンクに戻して繰り返し混練するロール混練方法において、前記バンクに戻す混練材料を切断して該バンクに戻すことを特徴とする。
【０００７】
本発明のロール混練装置は、一対の混練ロールで混練した混練材料を練り返し用コンベヤを介して前記混練ロール間のバンクに戻して繰り返し混練するロール混練装置において、前記練り返し用コンベヤの搬出側に前記混練材料を切断する切断手段を設置したことを特徴とする。
【発明の効果】
【０００８】
上述のように混練材料を切断してバンクに戻すことにより、テンションがない状態で混練材料をバンクに戻すことができる。そのため、戻った混練材料がバンクで循環してバンクの混練材料と混ざり合い、その混ざり合ったバンクの混練材料を混練ロールに引き込ませて混練することができるので、品質が安定した混練物を得ることができる。
【発明を実施するための最良の形態】
【０００９】
以下、本発明の実施の形態について添付の図面を参照しながら詳細に説明する。
【００１０】
図１は本発明のロール混練装置の概略図を示し、左右一対の混練ロール１，２と、この混練ロール１，２で混練されたゴム材料などの混練材料Ｍを再び混練ロール１，２に戻して繰り返し混練するための複数の練り返し用コンベヤ３，４，５を備えている。
【００１１】
混練ロール１，２は、不図示の駆動モータにより矢印で示す方向に回転可能に構成され、混練ロール１，２間のバンク６に供給された混練材料を混練し、シート状の混練材料Ｍにして混練ロール１，２間の隙間から下方に送り出すようになっている。
【００１２】
第１練り返し用コンベヤ３が混練ロール１，２の下方に配置され、不図示の駆動モータにより駆動されるコンベヤベルト３ａ上の混練材料Ｍを一方側（図１の左側）に向けて搬送する。第２練り返し用コンベヤ４は、第１練り返し用コンベヤ３の一端側に設置され、不図示の駆動モータにより駆動されるコンベヤベルト４ａ上の混練材料Ｍを上方に向けて搬送する。第３練り返し用コンベヤ５は、混練ロール１の上方で、第２練り返し用コンベヤ４の搬送側下方に所定の間隔を置いて配置され、不図示の駆動モータにより駆動されるコンベヤベルト５ａ上の混練材料Ｍを他方側（図１の右側）に向けて搬送するようになっている。
【００１３】
第３練り返し用コンベヤ５の搬出側のバンク６の上方には、混練材料Ｍを切断する切断手段７が設置されている。切断手段７は、混練材料Ｍを第３練り返し用コンベヤ５の搬送方向と直交する幅方向に対して斜めに切断する回転可能なカッターロール（カッター）８と、その下側に回転自在に配置した受けロール９を有している。
【００１４】
図２に示すように、カッターロール８はその表面に螺旋状に延在する切断刃１０を備えており、不図示の駆動モータによりカッターロール８が回転すると、カッターロール８と受けロール９との間を通過するシート状の混練材料Ｍが、図３に示すように幅方向に対して斜めに切断されるようになっている。この切断された混練材料片Ｍ１が落下して下方のバンク６に戻されるようにしている。
【００１５】
以下、上述したロール混練装置により混練材料を混練する本発明の方法について説明すると、回転する混練ロール１，２で混練されたシート状の混練材料Ｍを第１練り返し用コンベヤ３に受け渡し、次いで第２練り返し用コンベヤ４、第３練り返し用コンベヤ５を経て切断手段７に供給する。切断手段７のカッターロール８と受けロール９との間を通過するシート状の混練材料Ｍを、回転するカッターロール８により幅方向に対して斜めに順次切断し、その切断された混練材料片Ｍ１を落下させて下方のバンク６に戻し、再び混練ロール１，２で混練する。混練材料Ｍが所望の粘度になるまでこの工程を繰り返し行うのである。
【００１６】
上述した本発明によれば、混練ロール１，２間のバンク６に戻す混練材料Ｍを切断した混練材料片Ｍ１にして戻すようにしたので、テンションがない状態にして混練材料Ｍをバンク６に戻すことができる。そのため、混練材料片Ｍ１がバンク６内で循環してバンク６の混練材料Ｍ’と混ざり合い、その混ざり合った混練材料を混練ロール１，２に引き込ませて混練することができるようになるので、品質を安定させた混練物を得ることが可能になる。
【００１７】
また、混練材料Ｍを斜めに切断することで、落下する混練材料片Ｍ１が図３に示す一端部ａ側からバンク６に供給されるので、バンク６内に供給された混練材料片Ｍ１の混練ロール横方向にバンク６内の混練材料Ｍ’がきて混練材料片Ｍ１が混練材料Ｍ’と混ざり合い、混練されるようになる。その結果、より混ぜ合わせた混練が可能になるため、混練物の品質を一層安定させることができる。
【００１８】
カッターロール８による混練材料Ｍの切断角度θとしては、幅方向に対して４５°以下の角度となるようにするのがよい。切断角度θが４５°を超えると、混練材料片Ｍ１が投入方向（図の上下方向）に長くなり、混練材料Ｍとの分離が難しくなるため、混練物の品質の安定化に不利となる。望ましくは、２０〜３０°がよい。
【００１９】
本発明において、混練材料Ｍを斜めに切断するカッターとしては、上述したように螺旋状の切断刃１０を備えたカッターロール８を好ましく挙げることができるが、それに限定されず、混練材料Ｍを斜めに切断可能であればいずれのカッターを採用してもよい。
【００２０】
また、上述したように混練材料Ｍを斜めに切断するのが好ましいが、切断角度θを０°にしたものであっても、テンションがない状態にして混練材料Ｍをバンク６に戻すことが可能であり、混練物の品質の安定化に寄与する。
【図面の簡単な説明】
【００２１】
【図１】本発明のロール混練装置の概略説明図である。
【図２】図１の切断手段の説明図である。
【図３】図２の切断手段で切断した混練材料の一例を示す説明図である。
【符号の説明】
【００２２】
１，２  混練ロール  
３  第１練り返し用コンベヤ
４  第２練り返し用コンベヤ
５  第３練り返し用コンベヤ
６  バンク
７  切断手段
８  カッターロール（カッター）
９  受けロール
１０  切断刃
Ｍ，Ｍ’混練材料
Ｍ１  混練材料片
【図１】
2005254697.tif 000003
【図２】
2005254697.tif 000004
【図３】
2005254697.tif 000005